(57)【要約】【課題】障子を開くために操作した力を効率よく作用させることが可能な補助装置及び建具を提供する。【解決手段】引き戸の障子を開くための補助装置であって、障子を開閉する際に把持されるハンドルと、ハンドルに固定され、障子の縦框に沿う回動軸を中心にハンドルを回動させるためのアームと、障子を開くためにハンドルを回動させた際に、障子が開く方向と反対の方向に、見付け方向に沿って障子より突出される突出部と、を有する。【選択図】図５
2007303186.tif 000002
【特許請求の範囲】
【請求項１】
引き戸の障子を開くための補助装置であって、
前記障子を開閉する際に把持されるハンドルと、
前記ハンドルに固定され、前記障子の縦框に沿う回動軸を中心に前記ハンドルを回動させるためのアームと、
前記障子を開くために前記ハンドルを回動させた際に、前記障子が開く方向と反対の方向に、見付け方向に沿って前記障子より突出される突出部と、
を有することを特徴とする補助装置。
【請求項２】
請求項１に記載の補助装置であって、
前記障子の面と交差する方向に設けられた揺動軸と、
前記揺動軸に揺動自在に固定され、前記揺動軸より上方または下方のいずれか一方に位置する第１腕部及び他方に位置し前記突出部が設けられた第２腕部を有するレバーと、
を備え、
回動された前記アームに前記第１腕部が移動されることにより前記レバーが揺動されて前記突出部が前記障子より外側に突出されることを特徴とする補助装置。
【請求項３】
請求項１に記載の補助装置であって、
前記アームに、前記回動軸を挟んで前記ハンドルと反対側に設けられた作用部材と、
前記作用部材と係合し、前記ハンドルの回動に伴って前記作用部材により見付け方向に移動される係合ピースと、
を備え、
前記突出部は前記係合ピースに設けられていることを特徴とする補助装置。
【請求項４】
請求項１に記載の補助装置であって、
前記アームの、前記回動軸を挟んで前記ハンドルと反対側の部位と係合し、前記ハンドルの回動に伴って見付け方向に移動される移動部材を備え、
前記突出部は前記移動部材に設けられていることを特徴とする補助装置。
【請求項５】
請求項１乃至請求項４のいずれかに記載の補助装置であって、
前記ハンドルは、前記アームに固定されたハンドル本体と、
前記ハンドル本体に回動自在に設けられた把持部と、
を有することを特徴とする補助装置。
【請求項６】
請求項１乃至請求項５のいずれかに記載の補助装置であって、
前記障子を開く際には、前記ハンドルは当該障子に近づく方向に回動されることを特徴とする補助装置。
【請求項７】
請求項１乃至請求項６のいずれかに記載の補助装置を備えた障子と、
前記障子が移動可能に取り付けられる枠体と、
を有することを特徴とする建具。
【発明の詳細な説明】
【技術分野】
【０００１】
本発明は、引き戸を構成する障子を開くための補助装置、及び、この補助装置を備えた障子を有する建具に関する。
【背景技術】
【０００２】
従来の引き戸は、密閉性を向上させるために窓枠と障子との間に設けられたシール材による摩擦力や、特に高層階等の窓にかかる風圧等により、障子を開くために多大な力を必要とする場合がある。このため、従来から障子を開く際に、障子が窓枠から離れる方向に作用する力を付勢するための補助装置を設けることが知られている。このような補助装置としては、例えば、障子の面と直交する軸を中心に回動するレバーの一端を使用者が把持してレバーを回動させると、この一端と軸を挟んで反対側に位置する他端部が窓枠を押圧することにより、障子を窓枠から離す方向に力を作用させているものがある（例えば、特許文献１参照）。
【０００３】
また、引き戸の障子に設けられた引手を障子の開閉方向にスライド可能な構成とし、引手を、障子を開く方向にスライドさせることにより、引手とリンク機構を介して連結された回動部が窓枠方向に突出して窓枠を押圧することにより、障子を窓枠から離す方向に力を作用させる補助装置も知られている（例えば、特許文献２参照）。
【特許文献１】特許第３５１２８７７号明細書
【特許文献２】特開２００５―９７９３３号公報
【発明の開示】
【発明が解決しようとする課題】
【０００４】
しかしながら、上記のような障子の面と直交する軸を中心に回動するレバーを有する補助装置は、レバーを回動させる方向と障子を開くために障子を移動させる方向とが相違するため、障子を開くために操作した力が効率よく作用されない。また、引手を開閉方向にスライドさせる補助装置は、引手が設けられている戸先框の見付け方向における幅が狭いためスライド幅を大きく設けられないという制約を有しつつ障子を窓枠から離す方向に力を作用させる機構を構成しなければならないという課題があった。
【０００５】
本発明は、かかる課題に鑑みてなされたものであり、その目的とするところは、障子を開くために操作した力を効率よく作用させることが可能な補助装置及び建具を提供することにある。
【課題を解決するための手段】
【０００６】
かかる目的を達成するために本発明の補助装置は、引き戸の障子を開くための補助装置であって、前記障子を開閉する際に把持されるハンドルと、前記ハンドルに固定され、前記障子の縦框に沿う回動軸を中心に前記ハンドルを回動させるためのアームと、前記障子を開くために前記ハンドルを回動させた際に、前記障子が開く方向と反対の方向に、見付け方向に沿って前記障子より突出される突出部と、を有することを特徴とする。  
このような補助装置によれば、障子を開く際に把持されるハンドルの回動軸が縦框に沿う方向に設けられているので、障子を開くためにハンドルを回動させる際にハンドルを操作する方向と、障子が移動される方向とがほぼ同じである。このため、障子を開けるためにハンドルを操作した力を効率よく作用させることが可能である。また、障子を開けるためにハンドルを回動させると、障子が開く方向と反対の方向に、突出部が見付け方向に沿って突出されるので、障子より突出された突出部は、閉止された障子が当接されている枠体を押圧する。このため、突出部が枠体を押圧する押圧力が障子を開ける方向に作用するため、障子を小さな力で開くことが可能である。例えば、大きな障子であっても容易に開くことが可能である。
【０００７】
かかる補助装置であって、前記障子の面と交差する方向に設けられた揺動軸と、前記揺動軸に揺動自在に固定され、前記揺動軸より上方または下方のいずれか一方に位置する第１腕部及び他方に位置し前記突出部が設けられた第２腕部を有するレバーと、を備え、回動された前記アームに前記第１腕部が移動されることにより前記レバーが揺動されて前記突出部が前記障子より外側に突出されることが望ましい。  
このような補助装置によれば、ハンドルを操作することにより、ハンドルに固定されたアームがレバーの第１腕部を移動させ、第１腕部と揺動軸を挟んで反対側の第２腕部に設けられた突出部が障子より外側に突出される構造なので、縦框に沿った回動軸を中心とした回動動作を障子面（縦框）と交差する方向に設けられた揺動軸回りの揺動動作に変換して、突出部を枠体側に突出させることが可能である。また、レバーを用いた梃子により突出部が突出されるので、障子を開くために操作した力を効率よく作用させることが可能である。
【０００８】
かかる補助装置であって、前記アームに、前記回動軸を挟んで前記ハンドルと反対側に設けられた作用部材と、前記作用部材と係合し、前記ハンドルの回動に伴って前記作用部材により見付け方向に移動される係合ピースと、を備え、前記突出部は前記係合ピースに設けられていることが望ましい。  
このような補助装置によれば、アームの、回動軸を挟んで前記ハンドルと反対側に設けられた作用部材により、突出部が設けられた係合ピースを移動させるので、障子を開けるためにハンドルを操作した方向と反対の方向に係合ピースを移動させることが可能である。このため、障子を開ける際に突出部により枠体を押圧させる補助装置を、簡単な機構にて実現させることが可能である。
【０００９】
かかる補助装置であって、前記アームの、前記回動軸を挟んで前記ハンドルと反対側の部位と係合し、前記ハンドルの回動に伴って見付け方向に移動される移動部材を備え、前記突出部は前記移動部材に設けられていることが望ましい。  
このような補助装置によれば、アームの、回動軸を挟んで前記ハンドルと反対側の部位により、突出部が設けられた移動部材を直接移動させるので、アームと移動部材との間に何ら部材を介在させることなく、障子を開けるためにハンドルを操作した方向とは反対の方向に移動部材を移動させることが可能である。このため、障子を開ける際に突出部により枠体を押圧させる補助装置を、更に簡単な機構にて実現させることが可能である。
【００１０】
かかる補助装置であって、前記ハンドルは、前記アームに固定されたハンドル本体と、前記ハンドル本体に回動自在に設けられた把持部と、を有することが望ましい。  
障子を開ける際に把持されるハンドルの回動軸が縦框に沿う方向に設けられているので、障子を開ける方向とハンドルを回動させる方向とはほぼ同じ方向となるが、障子の移動方向が直線的であるのに対しハンドルは回動するため、ハンドルを回動させるにつれて障子を開く方向とハンドルを回動させる方向とに少しずつずれが生じる。このとき、操作する者が把持するハンドルが、アームに固定されたハンドル本体とは別に、ハンドル本体に回動自在に設けられた把持部を有するように構成されていると、ハンドルを回動させるにつれて生じる方向のずれを把持部の回動によって吸収させることが可能である。このため、操作する者は、障子を開ける方向とハンドルを回動させる方向とのずれを意識することなく障子を開くことが可能である。
【００１１】
かかる補助装置であって、前記障子を開く際には、前記ハンドルは当該障子に近づく方向に回動されることが望ましい。  
このような補助装置によれば、ハンドルが障子に近づく方向は、ハンドルが障子から離れる方向と比較して、障子が開く方向に近いため、障子を開こうとして操作した力を効率よく作用させることが可能である。
【００１２】
また、前記補助装置を備えた障子と、前記障子が移動可能に取り付けられる枠体と、を有することを特徴とする建具である。  
このような建具によれば、障子を開くために操作した力を効率よく作用させることが可能な建具を提供することが可能である。
【発明の効果】
【００１３】
本発明によれば、障子を開くために操作した力を効率よく作用させることが可能な補助装置及び建具を提供することができるという効果がある。
【発明を実施するための最良の形態】
【００１４】
以下、本発明の実施形態に係る、引き違いタイプや片引きタイプなどの引き戸を開く力を補助する補助装置を備えた建具について図面を参照して説明する。以下の説明においては、建具を室内側から見たときに上下となる方向を上下方向、左右となる方向を左右方向または見付け方向、奥行き方向を見込み方向として示す。
【００１５】
図１は、本実施形態に係る補助装置が設けられた建具の外観図である。  
図示するように、本実施形態の建具１０は、建物の開口に取り付けられる枠体１１と、枠体１１に設けられ見付け方向に移動自在な内障子１２及び外障子１４とを有している。そして、内障子１２及び外障子１４の縦框としての戸先框１２ａ、１４ａに障子１２、１４を開閉する際に把持するハンドル３１を備えた補助装置２０が設けられている。  
内障子１２に設けられた補助装置２０と外障子１４に設けられた補助装置２０とは、左右が反転した構造なので、ここでは図１の左側に示した外障子１４に設けられた補助装置２０を例に挙げて説明する。
【００１６】
＜第１実施例＞
図２は、本実施形態の補助装置の第１実施例を示す斜視図である。図３は、第１実施例の補助装置の構成を示す分解図である。
【００１７】
第１実施例の補助装置２０は、縦框としての戸先框１４ａに固定されるケース２１と、ケース２１に固定された揺動軸としての第１ピン２２を軸として揺動自在に設けられたレバーユニット２５と、ケース２１に固定された回動軸としての第２ピン２３を軸として所定角度の範囲で回動自在に設けられたハンドルユニット３０と、ハンドルユニット３０を回動範囲の一方の端にハンドル３１を移動させるべく付勢する捻りコイルバネ２４と、を有している。
【００１８】
ハンドルユニット３０は、鉛直方向に沿って配置され、障子を移動させようとする者が把持する棒状のハンドル３１と、ハンドル３１の上端部に一端が固定され、他端がケース２１内に挿入されて第２ピン２３にてケース２１に取り付けられる上アーム３５と、ハンドル３１の下端部に一端が固定され、他端がケース２１内に挿入されて第２ピン２３にてケース２１に取り付けられる下アーム３６と、を有している。
【００１９】
ハンドル３１は、ほぼ円柱状のハンドル本体３２と、ハンドル本体３２の外周に沿って回動自在に設けられた把持部としての外筒部３３とを有している。ハンドル本体３２の上端部、及び下端部には直方体状の突部３２ａが設けられている。外筒部３３の内径は、ハンドル本体３２の水平断面の外形形状がなす円形の外径より僅かに大きく形成されており、外筒部３３は内側にハンドル本体３２が挿入されると、ハンドル本体３２の外周面に沿って滑らかに回動可能である。
【００２０】
上アーム３５と下アーム３６とは、互いに上下が反転した形状をしているので、ここでは上アーム３５について説明し、下アーム３６の説明を省略する。
【００２１】
上アーム３５は、ケース２１に設けられた挿入口２１ａから挿入される一方の端部に、第２ピン２３が鉛直方向に貫通される貫通穴３５ａが形成された被支持部３５ｂを有し、他端部にハンドル本体３２の上部に被せられるキャップ部３５ｃを有している。  
被支持部３５ｂとキャップ部３５ｃとの間には、上アーム３５がケース２１に取り付けられた際に、ケース２１の外周面に沿って摺動される摺動部３５ｄが、被支持部３５ｂ側に偏らせて設けられている。また、被支持部３５ｂと摺動部３５ｄとの間には、後述するレバーの一端側を移動させるための作用突部３５ｅ（図５参照）が設けられている。  
キャップ部３５ｃの下面には上方に向かって凹設された角穴３５ｆが設けられている。角穴３５ｆにはハンドル本体３２の上端部に設けられた突部３２ａが挿入されて水平方向に締め込まれるねじ３９によりキャップ部３５ｃとハンドル本体３２とが結合されている。
【００２２】
ケース２１は、ほぼ直方体状をなし、戸先框１４ａに当接される側が開放された中空の箱状に形成され、長手方向が戸先框１４ａの長手方向に沿わされて固定される。ケース２１の上端側と下端側とには、室内側に張り出した張出部２１ｂが設けられている。張出部２１ｂの室内側の面は湾曲し、湾曲した周面２１ｃを上アーム３５及び下アーム３６の摺動部３５ｄ、３６ｄが摺動する。この周面２１ｃには、上アーム３５と下アーム３６との端部が挿入される挿入口２１ａがそれぞれ形成されている。
【００２３】
張出部２１ｂの内側には、上アーム３５及び下アーム３６の貫通穴３５ａ，３６ａを貫通する第２ピン２３が固定される第２ピン固定部（不図示）が形成されている。また、ケース２１には、枠体１１側に向かって開放される切欠部２１ｅが上下方向のほぼ中央に位置させて形成されている。
【００２４】
上側張出部２１ｂの下と下側張出部２１ｂの上にはそれぞれ戸先框１４ａ側に凹設された凹部２１ｇが形成されており、この凹部２１ｇには見込み方向に貫通された固定穴２１ｈが形成されている。ケース２１は固定穴２１ｈに貫通されたねじにより戸先框１４ａに固定されている。また、凹部２１ｇには、ねじを隠すための化粧ピース１９が嵌め込まれる。
【００２５】
レバーユニット２５は、細長い板状のレバー２６と、レバー２６の一方の端部にレバー２６の面と直交する方向に嵌合される係合ピン２７と、レバー２６の他端側にレバー２６の面と直交する方向に回動ピン２８を軸として回動する突出部としてのローラ２９とを有している。レバー２６には、係合ピン２７が嵌合されている側の端から、例えば全長に対する約１／５の距離に第１ピン２２が貫通される貫通穴２６ａが形成されている。貫通穴２６ａを貫通した第１ピン２２は、ケース２１の上側の凹部２１ｇの下でケース２１の内面に螺合される。レバーユニット２５がケース２１に取り付けられると、ローラ２９が設けられている第２腕部２６ｃが第１ピン２２より下方に位置し、係合ピン２７が嵌合されている第１腕部２６ｂが第１ピン２２より上方に位置し、係合ピン２７と上アーム３５の作用突部３５ｅとが係合する。
【００２６】
本第１実施例では、第１ピン２２より上方に係合ピン２７を設け、第１ピン２２より下方にローラ２９を設けた例について説明したが、第１ピン２２より下方に係合ピン２７を設け、第１ピン２２より上方にローラ２９を設けてもよい。この場合には、下アーム３６の作用突部と係合ピン２７とが係合する。また、レバー２６を２つ用いて一方のレバー２６の第１腕部２６ｂを上アーム３５にて移動させ、他方のレバー２６の第１腕部２６ｂを下アーム３６にて移動させる構成としてもよい。
【００２７】
次に第１実施例の補助装置におけるハンドル操作によるレバーユニット２５の動作について説明する。
【００２８】
図４は、第１実施例におけるハンドル操作によるレバーユニットの動作を示す図であり、補助装置を戸先框側から見た図である。図４（ａ）は、ハンドルが操作されていない状態を示し、図４（ｂ）は、ハンドル操作によりローラがケースから突出し始めた状態を示し、図４（ｃ）は、ローラがケースから最も突出した状態を示している。図５は、第１実施例におけるハンドル操作によるレバーユニットの動作を示す平断面図である。図５（ａ）は、ハンドルが操作されていない状態を示し、図５（ｂ）は、ハンドル操作によりローラがケースから突出し始めた状態を示し、図５（ｃ）は、ローラがケースから最も突出した状態を示している。
【００２９】
図４（ａ）、図５（ａ）に示すように、ハンドル３１に力が作用していない状態では、捻りコイルバネ２４によりハンドル３１は室内側から見て最も左側に位置するように付勢されている。図５（ａ）では、外障子１４は閉められた状態であり、枠体１１に設けられた突起１１ａにより外障子１４は室内側に案内され、戸先框１４ａの室内側の面が枠体１１に設けられたシール材１１ｂに押圧されている。
【００３０】
外障子１４が閉められた状態から、外障子１４を開けるために操作者がハンドル３１を把持して右方向に移動させると、ハンドルユニット３０は、第２ピン２３を中心に回動する。このとき、ハンドルユニット３０の回動により、上下のアーム３５、３６の摺動部３５ｄ、３６ｄがケース２１の周面２１ｃに沿って摺動するとともに、上アーム３５の作用突部３５ｅが係合ピン２７と係合してレバー２６の第１腕部２６ｂを枠体１１から離れる方向に移動させる。レバー２６の第１腕部２６ｂが枠体１１から離れる方向に移動することにより、図４（ｂ）、図５（ｂ）に示すように、レバーユニット２５は、第２ピン２３を中心に揺動し始め、レバー２６の第２腕部２６ｃに設けられたローラ２９がケース２１の切欠部２１ｅから見付け方向に沿って突出し始める。また、ハンドル３１を右方向に移動させるべく操作することにより外障子１４は見付け方向に沿って右方向に移動し開き始める。このとき、上述したようにローラ２９が切欠部２１ｅから見付け方向に沿って突出して枠体１１を左方向に押圧する。この押圧力により、外障子１４には右方向に移動するための力が付勢される。
【００３１】
ハンドル３１をさらに右方向に移動させると、図４（ｃ）、図５（ｃ）に示すように、レバーユニット２５のローラ２９はケース２１の切欠部２１ｅから見付け方向に沿って最も突出した状態となる。このとき、外障子１４はさらに右方向に移動するとともに、ローラ２９が枠体１１を左方向にさらに押圧する。この押圧力により、外障子１４には右方向に移動するための力がさらに付勢される。その結果、外障子１４は枠体１１のシール材１１ｂから離れ、小さな力でも移動可能となる。その後、ハンドル３１を離すと捻りコイルバネ２４によりハンドル３１は図４（ａ）、図５（ａ）に示す最も左側に位置するように付勢され、ローラ２９はケース２１内に収容される。
【００３２】
＜第２実施例＞
図６は、本実施形態の補助装置の第２実施例を示す斜視図である。図７は、第２実施例の補助装置の構成を示す分解図である。以下の説明においては、第１実施例と同様の部材については同一の符号を付し説明を省略する。
【００３３】
第２実施例の補助装置２０は、戸先框１４ａに固定されるケース２１と、ケース２１に固定された第２ピン２３を軸として所定角度の範囲で回動自在に設けられたハンドルユニット３０と、ハンドルユニット３０に固定される作用部材としての作用バー６０と、作用バー６０と係合して見付け方向にスライドする係合ピースとしてのスライド部７０と、ハンドルユニット３０を回動範囲の一方の端に移動させるべく付勢するコイルバネ６９と、を有している。
【００３４】
ケース２１の上側張出部２１ｂの下と下側張出部２１ｂの上にはそれぞれ角穴２１ｋが形成されており、この角穴２１ｋの見込み方向の奥側にはねじが貫通され、ケース２１を戸先框１４ａに固定するための固定穴２１ｈを有する固定片２１ｍが形成されている。また、ケース２１には、切欠部２１ｅからスライド部７０が出入りする際に、スライド部７０が沿わされるガイド２１ｎ（図８）が形成されている。
【００３５】
ハンドルユニット３０の上アーム６１と下アーム６２とは、ハンドル３１の上下端部に一端が固定され、他端側がケース２１内に挿入されて第２ピン２３にてケース２１に取り付けられることは上記第１実施例の上アーム３５及び下アーム３６と同様である。第２実施例の上アーム６１及び下アーム６２は、ケース２１内に挿入される他端側が第２ピン２３より戸先框１４ａ側に延出されている点で相違し、また、摺動部と作用突部は設けられていない。
【００３６】
作用バー６０は、細長い金属製の部材であり、上下方向に沿って配置される。作用バー６０の上端部は上アーム６１の延出端部６１ａに固定され、作用バー６０の下端部は下アーム６２の延出端部６２ａに固定されている。作用バー６０は、上下方向のほぼ中央の部位がほぼ直角に折り曲げられて、スライド部７０と係合する係合部６３が形成されている。
【００３７】
スライド部７０は、台座７１と、台座７１に固定された回動ピン２８にて取り付けられたローラ２９とを有している。台座７１はケース２１の室内側の面と平行に配置される板状の基部７１ａと、基部７１ａにおいて見付け方向のほぼ中央に設けられ基部７１ａと交差する方向に突設された板状の第１規制部７１ｂと、第１規制部７１ｂと平行な面を有しケース２１に収容された際に第１規制部７１ｂに対し切欠部２１ｅと反対側に設けられた板状の第２規制部７１ｃとを有している。基部７１ａの第１規制部７１ｂより切欠部２１ｅ側には上下方向の中央にローラ２９が設けられている。そしてスライド部７０は、基部７１ａがケース２１のガイド２１ｎに案内されて見付け方向に移動する。また、スライド部７０の第１規制部７１ｂと第２規制部７１ｃとの間には作用バー６０の係合部６３が挿入される。
【００３８】
そして、スライド部７０は、ハンドル３１の回動により移動される作用バー６０の係合部６３により移動され、枠体１１側に移動した際にはケース２１の切欠部２１ｅから見付け方向に沿ってローラ２９が突出する。
【００３９】
次に第２実施例の補助装置２０におけるハンドル操作によるスライド部７０の動作について説明する。
【００４０】
図８は、第２実施例におけるハンドル操作によるスライド部の動作を戸先框側から見た図である。図８（ａ）は、ハンドルが操作されていない状態を示し、図８（ｂ）は、ハンドル操作によりローラがケースから突出し始めた状態を示し、図８（ｃ）は、ローラがケースから最も突出した状態を示している。図９は、第２実施例におけるハンドル操作によるスライド部の動作を示す平断面図である。図９（ａ）は、ハンドルが操作されていない状態を示し、図９（ｂ）は、ハンドル操作によりローラがケースから突出し始めた状態を示し、図９（ｃ）は、ローラがケースから最も突出した状態を示している。
【００４１】
図８（ａ）、図９（ａ）に示すように、ハンドル３１に力が作用していない状態では、コイルバネ６９によりハンドル３１は室内側から見て最も左側に位置するように付勢されている。図９（ａ）では、外障子１４は閉められた状態であり、枠体１１に設けられた突起１１ａにより外障子１４は室内側に案内され、戸先框１４ａの室内側の面が枠体１１に設けられたシール材１１ｂに押圧されている。
【００４２】
外障子１４が閉められた状態から、外障子１４を開けるために操作者がハンドル３１を把持して右方向に移動させると、ハンドルユニット３０は、第２ピン２３を中心に回動する。このとき、ハンドルユニット３０の回動により、上アーム６１と下アーム６２との延出端部６１ａ、６２ａに固定された作用バー６０が第２ピン２３を中心に回動する。作用バー６０が回動することにより図８（ｂ）、図９（ｂ）に示すように、作用バー６０が移動し、作用バー６０の係合部６３と係合しているスライド部７０は、第１規制部７１ｂが押されてケース２１のガイド２１ｎに沿って移動し始める。スライド部７０が移動し始めることによりスライド部７０に設けられた突出部としてのローラ２９がケース２１の切欠部２１ｅから見付け方向に沿って突出し始める。また、ハンドル３１を右方向に移動させるべく操作することにより外障子１４は見付け方向に沿って右方向に移動し開き始める。このとき、上述したようにローラ２９が切欠部２１ｅから見付け方向に沿って突出して枠体１１を左方向に押圧する。この押圧力により、外障子１４には右方向に移動するための力が付勢される。
【００４３】
ハンドル３１をさらに右方向に移動させると、図８（ｃ）、図９（ｃ）に示すように、作用バー６０がさらに回動し、ローラ２９が切欠部２１ｅから見付け方向に沿って最も突出した状態となる。このとき、外障子１４はさらに右方向に移動するとともに、ローラ２９が枠体１１を左方向にさらに押圧する。この押圧力により、外障子１４には右方向に移動するための力がさらに付勢される。その結果、外障子１４は枠体１１のシール材１１ｂから離れ、小さな力でも移動可能となる。その後、ハンドルを離すとコイルバネ６９によりハンドル３１は図８（ａ）、図９（ａ）に示す最も左側に位置するように付勢される。このとき、上アーム６１及び下アーム６２と作用バー６０とが、障子を開く際と反対方向に回動し、スライド部７０の第２規制部７１ｃが作用バー６０の係合部６３に押されてスライド部７０が移動しローラ２９はケース２１内に収容される。
【００４４】
＜第３実施例＞
図１０は、本実施形態の補助装置の第３実施例を示す斜視図である。図１１は、第３実施例の補助装置の構成を示す分解図である。以下の説明においては、上記実施例と同様の部材については同一の符号を付し説明を省略する。
【００４５】
第３実施例の補助装置２０は、戸先框１４ａに固定され、上ケース８１と下ケース８２とが対をなすケース８０と、ケース８０に固定された第２ピン２３を軸として所定角度の範囲で回動自在に設けられたハンドルユニット３０と、ハンドルユニット３０と係合して見付け方向に移動する移動部材８７と、ハンドルユニット３０を回動範囲の一方の端に移動させるべく付勢するコイルバネ６９と、を有している。
【００４６】
ハンドルユニット３０の上アーム６４と下アーム６５とは、ハンドル３１の上下端部に一端が固定され、他端側がケース８０内に挿入されて第２ピン２３にてケース８０に取り付けられる。上アーム６４のハンドル本体３２が固定されていない端部は、上ケース８１に設けられた挿入口２１ａから内部に挿入され、下アーム６５のハンドル本体３２が固定されていない端部は、下ケース８２に設けられた挿入口２１ａから内部に挿入されている。上アーム６４の上ケース８１に挿入された端部、及び下アーム６５の下ケース８２に挿入された端部、すなわち、上下のアーム６４、６５の第２ピン２３を挟んでハンドル３１と反対側の部位には、それぞれ上下のケース８１、８２内に収容された移動部材８７と係合し移動部材８７を押圧する押圧部６４ａ、６５ａが形成されている。
【００４７】
上ケース８１は、上部がほぼ直方体状をなし、戸先框１４ａに当接される側が開放された中空部８１ａと、中空部８１ａから繋がって設けられ上ケース８１を戸先框１４ａに固定するためのねじ穴を有する固定部８１ｂと、中空部８１ａ及び固定部８１ｂとは別体に形成され、中空部８１ａを戸先框１４ａ側から覆う蓋部８１ｃと、固定部８１ｂを貫通するねじを隠すための化粧ピース１９とを有している。中空部８１ａにおける戸先框１４ａと反対側の部位には、上アーム６４が挿入される挿入口２１ａが形成され、枠体１１側の面には、移動部材８７が有するローラ２９が突出するための切欠部２１ｅが設けられている。下ケース８２は、上ケース８１と互いに上下が反転した形状を成しており、中空部８２ａ、固定部８２ｂ、蓋部８２ｃ、化粧ピース１９を有している。また、中空部８２ａには、挿入口２１ａ及び切欠部２１ｅも設けられている。
【００４８】
移動部材８７は、基材８６と、基材８６に固定された回動ピン２８を軸として取り付けられたローラ２９とを有している。
【００４９】
基材８６は、戸先框１４ａと直交する方向の鉛直面を有する板状本体８６ａと、板状本体８６ａの上端及び下端から水平方向に延出された上水平部８６ｂ及び下水平部８６ｃと、板状本体８６ａと間隔を隔てて上水平部８６ｂから垂下された垂下片８６ｄと、板状本体８６ａの戸先框１４ａと反対側の縁部から枠体１１方向に向かって突出されてローラ２９が取り付けられるローラ取付部８６ｅとを有している。この移動部材８７は、上ケース８１の中空部８１ａ及び下ケース８２の中空部８２ａと蓋部８１ｃ、８２ｃとで囲まれた空間内に収容される。また、上ケース８１に収容された移動部材８７の板状本体８６ａと垂下片８６ｄとの間に、上アーム６４の押圧部６４ａが挿入されて係合され、下ケース８２に収容された移動部材８７の板状本体８６ａと垂下片８６ｄとの間に、下アーム６５の押圧部６５ａが挿入されて係合される。
【００５０】
そして、ハンドル３１が回動されることにより、上アーム６４により上ケース８１内の移動部材８７が移動され、下アーム６５により下ケース８２内の移動部材８７が移動されてローラ２９が切欠部２１ｅから見付け方向に沿って枠体１１側に突出される。
【００５１】
次に第３実施例の補助装置におけるハンドル操作による動作について説明する。  
図１２は、第３実施例におけるハンドル操作による動作を示す断面図である。図１２（ａ）は、ハンドルが操作されていない状態を示し、図１２（ｂ）は、ハンドル操作によりローラがケースから突出し始めた状態を示し、図１２（ｃ）は、ローラがケースから最も突出した状態を示している。
【００５２】
図１２（ａ）に示すように、ハンドル３１に力が作用していない状態では、コイルバネ６９によりハンドル３１は室内側から見て最も左側に位置するように付勢されている。図１２（ａ）では、外障子１４は閉められた状態であり、枠体１１に設けられた突起１１ａにより外障子１４は室内側に案内され、戸先框１４ａの室内側の面が枠体１１に設けられたシール材１１ｂに押圧されている。
【００５３】
外障子１４が閉められた状態から、外障子１４を開けるために操作者がハンドル３１を把持して右方向に移動させると、ハンドルユニット３０は、第２ピン２３を中心に回動する。このとき、ハンドルユニット３０の回動により、上アーム６４と下アーム６５との押圧部６４ａ、６５ａが第２ピン２３を中心に回動する。押圧部６４ａ、６５ａが回動することにより図１２（ｂ）に示すように、押圧部６４ａ、６５ａと係合している移動部材８７の板状本体８６ａが押されて、ケース８０の中空部８１ａ内を移動部材８７が移動し始める。移動部材８７が移動し始めることにより移動部材８７に設けられた突出部としてのローラ２９がケース８０の切欠部２１ｅから見付け方向に沿って突出し始める。また、ハンドル３１を右方向に移動させるべく操作することにより外障子１４は見付け方向に沿って右方向に移動し開き始める。このとき、上述したようにローラ２９が切欠部２１ｅから見付け方向に沿って突出して枠体１１を左方向に押圧する。この押圧力により、外障子１４には右方向に移動するための力が付勢される。
【００５４】
ハンドル３１をさらに右方向に移動させると、図１２（ｃ）に示すように、押圧部６４ａ、６５ａがさらに回動し、ローラ２９が切欠部２１ｅから見付け方向に沿って最も突出した状態となる。このとき、外障子１４はさらに右方向に移動するとともに、ローラ２９が枠体１１を左方向にさらに押圧する。この押圧力により、外障子１４には右方向に移動するための力がさらに付勢される。その結果、外障子１４は枠体１１のシール材１１ｂから離れ、小さな力でも移動可能となる。その後、ハンドル３１を離すとコイルバネ６９によりハンドル３１は図１２（ａ）に示す最も左側に位置するように付勢される。このとき、上アーム６４及び下アーム６５が、障子を開く際と反対方向に回動し、移動部材８７は垂下片８６ｄが押圧部６４ａ、６５ａに押されローラ２９はケース８０内に収容される。
【００５５】
本実施形態の建具１０及び補助装置２０によれば、障子１２、１４を開くためにハンドル３１を回動させると、障子１２、１４が開く方向と反対の方向にローラ２９が突出される。このとき、障子１２、１４より突出されたローラ２９は、閉止された障子１２、１４が当接されている枠体１１を押圧するように突出される。このため、ローラ２９が枠体１１を押圧する押圧力が障子１２、１４を開く方向に作用するので、障子１２、１４を小さな力で開くことが可能である。例えば、サイズが大きな障子であっても小さな力で容易に開くことが可能である。
【００５６】
また、障子１２、１４を開く際に把持されるハンドル３１の回動軸としての第２ピン２３が戸先框１２ａ、１４ａに沿う方向に設けられているので、障子１２、１４を開く方向とハンドル３１を回動させる方向がほぼ同じになるため、障子１２、１４を開くために操作した力を効率よく作用させることが可能である。
【００５７】
また、障子１２、１４の開閉操作を戸先框１２ａ、１４ａに沿う方向に設けられ回動軸を中心とするハンドル３１の操作としたので、障子１２、１４の手前の空間をハンドル３１の移動空間として使用することが可能であり、操作によるハンドル３１の移動範囲が制約を受けにくい。このため、ハンドル３１を大きく移動させることが可能であり、操作者が障子１２、１４を開く方向に体重を移動させつつハンドル３１を操作することができるため、高い操作性を維持しつつ障子１２、１４が開く方向に補助力を作用させる機構を実現させることが可能である。
【００５８】
第１実施例の補助装置によれば、ハンドル３１を操作することにより、ハンドル３１に固定されたアーム３５、３６がレバー２６の第１腕部２６ｂを移動させ、第１腕部２６ｂと第１ピン２２を挟んで反対側の第２腕部２６ｃに設けられたローラ２９が障子１２、１４より外側に突出される構造なので、戸先框１２ａ、１４ａに沿った第２ピン２３を中心とした回動動作を障子１２、１４面（戸先框１２ａ、１４ａ）と交差する方向に設けられた第１ピン２２回りの揺動動作に変換して、ローラ２９を枠体１１側に突出させることが可能である。そして、第１実施例では、第１腕部２６ｂの長さに対する第２腕部２６ｃの長さの比が約４倍となるレバー２６を用いた梃子と、操作する際に把持されるハンドル３１が固定されるアーム３５、３６を用いた梃子とが構成されているので、障子１２、１４を開くために操作した力を効率よく作用させ、小さな力で障子１２，１４を容易に開かせることが可能である。
【００５９】
上記第１実施例では、第１腕部２６ｂを上方に配置して上アーム３５にて第１腕部２６ｂを移動させるようにレバー２６を配置したが、レバー２６は第１腕部２６ｂを第１ピン２２より下方に配置して下アーム３５にて第１腕部２６ｂを移動させるように配置してもよい。また、第１腕部２６ｂを上方に位置させたレバー２６を有するレバーユニット２５と、第１腕部２６ｂを下方に位置させたレバー２６を有するレバーユニット２５とをそれぞれ設けた構成としても良い。
【００６０】
第２実施例の補助装置２０によれば、アーム６１、６２の、第２ピン２３を挟んでハンドル３１と反対側に設けられた作用バー６０によりローラ２９が設けられたスライド部７０を移動させるので、障子１２、１４を開けるためにハンドル３１を操作した方向と反対の方向にスライド部７０を移動させることが可能である。このため、障子１２、１４を開ける際にローラ２９により枠体１１を押圧させる補助装置２０を簡単な機構にて実現させることが可能である。
【００６１】
上記第２実施例では、作用バー６０を上アーム６１と下アーム６２とにそれぞれ固定した例について説明したが、作用バー６０が十分な剛性を有していれば作用バー６０の長さを例えば半分程度の長さとし、上アーム６１または下アーム６２のいずれか一方に固定した形態であっても構わない。
【００６２】
第３実施例の補助装置２０によれば、アーム６４、６５の、第２ピン２３を挟んでハンドル３１と反対側の押圧部６４ａ、６５ａによりローラ２９が設けられた移動部材８７を直接移動させる。このため、アーム６４、６５と移動部材８７との間に何ら部材を介在させることなく、障子１２、１４を開けるためにハンドル３１を操作した方向と反対の方向に移動部材８７を移動させることが可能である。よって、障子１２、１４を開ける際にローラ２９により枠体１１を押圧させる補助装置２０を、更に簡単な機構にて実現させることが可能である。
【００６３】
第３実施例では、上下のケース８１、８２にそれぞれ移動部材８７を設け、上下のアーム６４、６５にてそれぞれ枠体１１を押圧する機構を備えた例について説明したが、枠体１１を押圧する機構は、上下のケース８１、８２のうちのいずれか一方のみに設けられていてもよい。
【００６４】
上記実施形態では、障子１２、１４を開く方向とハンドル３１を回動させる方向とはほぼ同じである。ところが、障子１２、１４を開く際に把持されるハンドル３１の回動軸、すなわち第２ピン２３が戸先框１２ａ、１４ａに沿う方向に設けられているので、ハンドル３１を回動させるにつれて、ハンドル３１の回動方向と、障子１２、１４が移動する見付け方向とは少しずつずれが生じる。このような場合であっても、上記実施形態のようにハンドル３１が、アーム３５、３６、６１、６２、６４、６５に固定されたハンドル本体３２とは別に、その外周に沿って回動する外筒部３３を有するように構成されていると、ハンドル３１を回動させるにつれて生じる方向のずれを外筒部３３の回動によって吸収させることが可能である。このため、操作する者は、障子１２、１４を開く方向とハンドル３１を回動させる方向とのずれを意識することなく障子１２、１４を開くことが可能である。
【００６５】
また、ハンドル３１は、障子１２、１４を開く際に障子１２、１４に近づく方向に回動されるが、ハンドル３１が障子１２、１４に近づく方向は、ハンドル３１が障子１２、１４から離れる方向と比較して、障子１２、１４が開く方向に近い。このため、障子１２、１４を開こうとして操作した力を効率よく作用させることが可能である。このため、操作性が良い補助装置２０及び建具１０を実現することが可能である。
【００６６】
上記実施形態においては、ハンドル本体３２の上下端部を一対のアーム３５、３６、６１、６２、６４、６５にて固定する例について説明したが、ハンドルユニット３０が一本のアームとハンドル３１とで構成されており、ハンドル本体３２は、長手方向におけるいずれかの位置にてアームに固定されていても良い。また、ハンドル本体３２を円柱状とし、把持部をハンドル本体３２の外周に沿って回動自在に設けられた外筒部３３としたが、把持部がハンドル本体に対して回動自在な構成であれば、ハンドル本体及び把持部の水平断面の形状は円形に限るものではない。例えば、水平断面の形状が四角形や六角形などのハンドル本体及び把持部が、それらの間に回動自在な部材を介してハンドル３１を構成していても良い。
【００６７】
上記実施形態においては、ハンドル３１を回動させた際に障子１４が開く方向と反対の方向に突出される突出部を、枠体１１を押圧する際の摩擦抵抗が小さくなるように回動するローラ２９としたが、必ずしも回動しなくても良い。また、突出部が戸先框側から突出して枠体１１を押圧する例について説明したが、召合せ框側から突出して隣接する他の障子の召合せ框を押圧することにより障子が開く方向に付勢する構成としても良い。
【図面の簡単な説明】
【００６８】
【図１】本実施形態に係る補助装置が設けられた建具の外観図である。
【図２】本実施形態の補助装置の第１実施例を示す斜視図である。
【図３】第１実施例の補助装置の構成を示す分解図である。
【図４】第１実施例におけるハンドル操作によるレバーユニットの動作を戸先框側から見た図である。
【図５】第１実施例におけるハンドル操作によるレバーユニットの動作を示す平断面図である。
【図６】本実施形態の補助装置の第２実施例を示す斜視図である。
【図７】第２実施例の補助装置の構成を示す分解図である。
【図８】第２実施例におけるハンドル操作によるスライド部の動作を戸先框側から見た図である。
【図９】第２実施例におけるハンドル操作によるスライド部の動作を示す平断面図である。
【図１０】本実施形態の補助装置の第３実施例を示す斜視図である。
【図１１】第３実施例の補助装置の構成を示す分解図である。
【図１２】第３実施例におけるハンドル操作による動作を示す断面図である。
【符号の説明】
【００６９】
１０  建具、１４  外障子、２０  補助装置、２２  第１ピン、２３  第２ピン、
２６  レバー、２９  ローラ、３１  ハンドル、３２  ハンドル本体、
３３  外筒部、３５，６１，６４  上アーム、３６，６２，６５  下アーム、
６０  作用バー、７０  スライド部、８７  移動部材
【図１】
2007303186.tif 000003
【図２】
2007303186.tif 000004
【図３】
2007303186.tif 000005
【図４】
2007303186.tif 000006
【図５】
2007303186.tif 000007
【図６】
2007303186.tif 000008
【図７】
2007303186.tif 000009
【図８】
2007303186.tif 000010
【図９】
2007303186.tif 000011
【図１０】
2007303186.tif 000012
【図１１】
2007303186.tif 000013
【図１２】
2007303186.tif 000014